(57)【要約】【課題】パチンコ台等の遊戯台を上部側において桟枠形の島（設置用基枠）に取付けるための遊戯台取付具について、調整機構の取付位置，取付角度の調整範囲を超えた寸法の台枠に対しても対応することを可能にする。【解決手段】遊戯台の台枠Ｂの上板Ｂａの取付位置，取付角度を調整するための調整機構２が備えられている。調整機構２には、調整機構２の調整方向の長さを延長するアタッチメント２３を着脱可能にした。【選択図】        図１
2010240265.tif 000002
【特許請求の範囲】
【請求項１】
遊戯台の台枠の上板の取付位置，取付角度を調整するための調整機構を備えた遊戯台取付具において、調整機構は調整機構の調整方向の長さを延長するアタッチメントが着脱可能であることを特徴とする遊戯台取付具。
【請求項２】
請求項１の遊戯台取付具において、調整機構はアタッチメントが取付けられる箇所が台枠の左右方向に複数設けられていることを特徴とする遊戯台取付具。
【請求項３】
請求項１または２の遊戯台取付具において、調整機構はアタッチメントの着脱のための着脱用孔とアタッチメントの支持のための支持用溝とが連通され支持溝が着脱用孔よりも下方に位置されていることを特徴とする遊戯台取付具。
【請求項４】
請求項１から３のいずれかに記載の遊戯台取付具において、遊戯台の台枠の上板を支える押圧補助機構を備え、押圧補助機構は台枠の上板を支える面積を拡張する押圧補助アタッチメントが着脱可能であることを特徴とする遊戯台取付具。
【請求項５】
請求項４の遊戯台取付具において、前記押圧補助アタッチメントが台枠の前後方向に位置調整可能であることを特徴とする遊戯台取付具。
【発明の詳細な説明】
【技術分野】
【０００１】
本発明は、パチンコ台等の遊戯台を上部側において桟枠形の島（設置用基枠）に取付けるための遊戯台取付具に係る技術分野に属する。
【背景技術】
【０００２】
一般に、遊戯台の島への取付けは、遊戯台の背部側にある台枠を遊戯台取付具を使用して島に固定することより行われている。遊戯台取付具は、台枠の上部側，下部側で左右２個ずつの合計４個が使用されている。上部側で使用される遊戯台取付具は、台枠の上板を介して下板を島の下枠に押圧する構造となっている。
【０００３】
最近、遊戯台の製造業者の差別化競争が台枠にまで及んできて、台枠の材質，形状がかなり多様化してきている。このため、特に上部側で使用される遊戯台取付具について、多様化した台枠に対して汎用性を備えることが要望されている。
【０００４】
従来、遊戯台取付具としては、例えば、特許文献１に記載のものが知られている。
【０００５】
特許文献１には、台枠の上板の取付位置，取付角度を調整するための調整機構を備えた遊戯台取付具が記載されている。
【０００６】
特許文献１に係る遊戯台取付具は、調整機構の取付位置，取付角度の調整範囲を利用して異なる寸法の台枠にも対応することができることから、寸法面で多様化した台枠に対してある程度の汎用性を備えることができるものである。
【先行技術文献】
【特許文献】
【０００７】
【特許文献１】特開２００６−３１４６５３号公報
【発明の概要】
【発明が解決しようとする課題】
【０００８】
特許文献１に係る遊戯台取付具では、調整機構の取付位置，取付角度の調整範囲を超えた寸法の台枠に対しては対応することができず、遊戯台取付具の全体の取替えが必要になって不経済であるという問題点がある。
【０００９】
本発明は、このような問題点を考慮してなされたもので、調整機構の取付位置，取付角度の調整範囲を超えた寸法の台枠に対しても対応することを可能にする遊戯台取付具を提供することを課題とする。
【課題を解決するための手段】
【００１０】
前述の課題を解決するため、本発明では、遊戯台の台枠の上板の取付位置，取付角度を調整するための調整機構が備えられ、調整機構に調整機構の調整方向の長さを延長するアタッチメントを着脱可能にした。
【００１１】
この手段では、調整機構にアタッチメントを取付けることで、調整機構の調整方向の長さを延長することができる。
【００１２】
また、本発明では、調整機構にアタッチメントが取付けられる箇所が台枠の左右方向に複数設けられている。
【００１３】
この手段では、アタッチメントが取付けられる箇所が台枠の左右方向に複数設けられることで、台枠の左右方向にある障害物等を避けてアタッチメントが取付けられる箇所を選択することができる。
【００１４】
また、本発明では、調整機構にアタッチメントの着脱のための着脱用孔とアタッチメント支持のための支持用溝とが連通され支持溝が着脱用孔よりも下方に位置されている。
【００１５】
この手段では、アタッチメントの着脱のための着脱用孔の下方にアタッチメント支持のための支持用溝が位置されることで、アタッチメントの不測の脱落が防止される。
【００１６】
また、本発明では、遊戯台の台枠の上板を支える押圧補助機構が備えられ、押圧補助機構に台枠の上板を支える面積を拡張するアタッチメントを着脱可能にした。
【００１７】
この手段では、押圧補助機構にアタッチメントを取付けることで、押圧補助機構の台枠の上板を支える面積を拡張することができる。
【００１８】
また、本発明では、前記押圧補助アタッチメントが台枠の前後方向に位置調整可能に設けられている。
【００１９】
この手段では、押圧補助機構の台枠の上板を支える面積を調整することができる。
【発明の効果】
【００２０】
本発明に係る遊戯台取付具は、調整機構にアタッチメントを取付けることで、調整機構の調整方向の長さを延長することができるため、調整機構の取付位置，取付角度の調整範囲を超えた寸法の台枠に対しても対応することができる効果がある。
【図面の簡単な説明】
【００２１】
【図１】本発明に係る遊戯台取付具を実施するための形態の第１例の取付状態図である。
【図２】図１の斜視図である。
【図３】図１の要部の拡大された一部分解の斜視図である。
【図４】図３の一部部材の取付例の平面図であり、（Ａ），（Ｂ）に異なる取付例が示されている。
【図５】図３の一部切断の側面図である。
【図６】図３の一部切断の底面図である。
【図７】図１の他の要部の拡大された斜視図である。
【図８】図７の縦断面図である。
【図９】本発明に係る遊戯台取付具を実施するための形態の第２例の要部の斜視図である。
【図１０】本発明に係る遊戯台取付具を実施するための形態の第３例の要部の斜視図であり、（Ａ），（Ｂ）に部分的に異なる例が示されている。
【図１１】本発明に係る遊戯台取付具を実施するための形態の第４例の要部の斜視図であり、（Ａ），（Ｂ）に部分的に異なる例が示されている。
【図１２】本発明に係る遊戯台取付具を実施するための形態の第５例の要部の斜視図であり、（Ａ），（Ｂ）に部分的に異なる例が示されている。
【図１３】本発明に係る遊戯台取付具を実施するための形態の第６例の要部の断面図である。
【図１４】本発明に係る遊戯台取付具を実施するための形態の第７例の要部の断面図である。
【図１５】本発明に係る遊戯台取付具を実施するための形態の第８例の要部の斜視図である。
【図１６】本発明に係る遊戯台取付具を実施するための形態の第９例の要部の斜視図である。
【図１７】本発明に係る遊戯台取付具を実施するための形態の第１０例の要部の斜視図である。
【図１８】本発明に係る遊戯台取付具を実施するための形態の第１１例の要部の斜視図である。
【発明を実施するための形態】
【００２２】
以下、本発明に係る遊戯台取付具を実施するための形態を図面に基づいて説明する。
【００２３】
図１〜図８は、本発明に係る遊戯台取付具を実施するための形態の第１例を示すものである。
【００２４】
第１例では、パチンコ台からなる遊戯台を並列して島Ｆに取付けるのに好適なものを示してある。
【００２５】
即ち、島Ｆは、横桟木形の上枠Ｆａ，下枠Ｆｂの間に縦桟木形の縦枠Ｆｃが掛渡され、遊戯台の台枠Ｂが嵌合収容される複数の方形の取付ベースが隣接されている。なお、台枠Ｂは、上板Ｂａ，下板Ｂｂ，側板Ｂｃからなる。
【００２６】
第１例は、遊戯台を上部側において島Ｆに取付けるための左右勝手が対称の上部取付具Ｘが構成されている。
【００２７】
上部取付具Ｘは、図３，図５，図６に詳細に示されるように、上部取付ベース１，調整機構２，押圧機構３，押圧補助機構４からなる。
【００２８】
上部取付ベース１は、島Ｆの上枠Ｆａに固定されて調整機構２，押圧機構３，押圧補助機構４を支持するもので、調整機構支持片１１，押圧機構支持ケース１２，押圧補助機構支持片１３によりＬ字形，コ字形の組合わせの複合構造に形成されている。調整機構支持片１１は、島Ｆの上枠Ｆａの背部側に上枠Ｆａの下面と平行になるように配置され、下面が調整機構２を支持する面となるもので、下面に調整機構２の動作方向を規制する、調整機構２を挟んで対となるビード形のガイド１４が設けられている。なお、ガイド１４は一対でもそれ以上の複数対でもよく、レール状となっていてもよい。押圧機構支持ケース１２は、島Ｆの上枠Ｆａに堀込まれた取付溝Ｆｃに埋込まれて押圧機構３の大部分を収容するコ字形のケース部１２ａから取付溝Ｆｃから露出する裾片１２ｂがＬ字形に屈曲され、裾片１２ｂの上面が島Ｆの上枠Ｆａの下面に当接されて裾片１２ｂに穿孔されたネジ孔１２ｃに挿通されたネジＳで固定される。押圧補助機構支持片１３は、表面が島Ｆの上枠Ｆａの端面に当接されてネジＳで固定され、裏面が押圧補助機構４を支持する面となるもので、左右の一方側の調整機構支持片１１がＬ字形に屈曲されている側にネジＳが挿通されるネジ孔１５が表面，裏面を貫通して設けられ、中央に押圧機構３が螺合される雌ネジ部１６が設けられ、左右の他方側に押圧補助機構４が挿通されるとともに押圧補助機構４の動作方向を規制するガイドを兼用した挿通筒１７が設けられている。なお、押圧補助機構支持片１３の表面には、押圧機構支持ケース１２が溶接で固着されている。押圧機構支持ケース１２の固着はカシメ等の方法であってもよい。
【００２９】
調整機構２は、島Ｆにおける台枠Ｂの取付位置，取付角度を上部側で調整するもので、台枠Ｂの上板Ｂａに対してスライドされるスライド体２１と、スライド体２１のスライド位置を固定するロック部２２と、スライド体２１に着脱可能なアタッチメント２３とからなる。スライド体２１は、上部取付ベース１の調整機構支持片１１の下面に当接されるスライド板２１ａと、スライド板２１ａにスライド方向へ延びて穿孔された長孔２１ｂと、スライド板２１の先端に屈曲形成されて上部取付ベース１の押圧機構支持ケース１２の斜め下方に位置され台枠Ｂの上板Ｂａの端面を押圧する押圧板２１ｃと、押圧板２１ｃに穿孔されアタッチメント２３を着脱可能にするアタッチメント取付用孔２１ｄとからなる。スライド体２１のアタッチメント取付用孔２１ｄは、アタッチメント２３の着脱のための着脱用孔である大きな丸孔２１ｄａと、丸孔２１ｄａからＶ字形の開放側を下方に向けて左右方向へ延びる丸孔２１ｄａの径よりも幅の狭いアタッチメント２３の支持のための支持用溝である２つの長孔２１ｄｂとからなる。ロック部２２は、上部取付ベース１の調整機構支持片１１に固定されて調整機構支持片１１の下面からスライド体２１の長孔２１ｂを貫通して突出されたロックネジ２２ａと、ロックネジ２２ａに螺合されスライド体２１のスライド板２１ａを上部取付ベース１の調整機構支持片１１の下面に締付ける蝶ナット形のロックナット２２ｂとからなる。アタッチメント２３は、スライド体２１のスライド方向の長さを延長するもので、円柱体の本体部２３ａと、本体部２３ａに同軸に隣接されスライド体２１のアタッチメント取付用孔２１ｄの長孔２１ｄｂの幅と一致する径の円柱体のネック部２３ｂと、ネック部２３ｂに同軸に隣接されアタッチメント取付用孔２１ｄの長孔２１ｄｂの幅よりも大きな径で丸孔２１ｄａの径よりも小さな径の円板の抜止部２３ｃとからなる。
【００３０】
押圧機構３は、島Ｆの下枠Ｆｂの上面に台枠Ｂの上板Ｂａを介して下板Ｂｂを押圧するもので、上部取付ベース１の雌ネジ部１６に螺合されるネジ棒３１と、ネジ棒３１の後端部に設けられたハンドル３２と、上部取付ベース１の押圧機構支持ケース１２に台枠Ｂの上板Ｂａの上面に臨むように収容されネジ棒３１の先端部に突当てられたＬ字形の押圧部３３と、上部取付ベース１の押圧機構支持ケース１２に固定されてＬ字形の押圧部３３の角部に挿通され押圧部３３を回動可能に支持する支軸３４と、上部取付ベース１の押圧機構支持ケース１２と押圧部３３との間に弾圧装着されて押圧部３３を押圧機構支持ケース１２の内部に収容する方向へ弾圧付勢するコイルスプリング３５とからなる。ネジ棒３１は、強い回転力を得るために大径とされている。ハンドル３２は、ネジ棒３１を回転操作しやすいラジアル摘み形に形成されている。押圧部３３は、ネジ棒３１の回転により押されることで上部取付ベース１の押圧機構支持ケース１２から傾倒されて台枠Ｂの上板Ｂａの上面を押圧し、ネジ棒３１の逆方向の回転によりコイルスプリング３５に押されて上部取付ベース１の押圧機構支持ケース１２に収容されて台枠Ｂの上板Ｂａの上面への押圧を解除する。支軸３４は、軸線が上部取付ベース１の左右方向と平行になるように配設されている。
【００３１】
押圧補助機構４は、押圧機構３により押圧される台枠Ｂの上板Ｂａを支えて上板Ｂａの無用の変形を防止すると共に、上枠Ｆａに対しても無用の変形を防ぐためのもので、台枠Ｂの上板Ｂａに対してスライドされるスライド体４１と、スライド体４１のスライド位置を固定するロック部４２と、スライド体４１に着脱可能な押圧補助アタッチメント４３とからなる。スライド体４１は、上部取付ベース１の押圧補助機構支持片１３の裏面に当接され挿通筒１７に係合される断面コ字形のスライド枠４１ａと、スライド枠４１ａにスライド方向へ延びて穿孔された長孔４１ｂと、スライド枠４１の先端に屈曲形成されて上部取付ベース１の押圧機構支持ケース１２の斜め下方に位置され台枠Ｂの上板Ｂａの下面を押圧する押圧板４１ｃとからなる。ロック部４２は、上部取付ベース１の押圧補助機構支持片１３に固定されて押圧補助機構支持片１３の裏面からスライド体４１の長孔４１ｂを貫通して突出されたロックネジ４２ａと、ロックネジ４２ａに螺合されスライド体４１のスライド枠４１ａを上部取付ベース１の押圧補助機構支持片１３の裏面に締付ける蝶ナット形のロックナット４２ｂとからなる。押圧補助アタッチメント４３は、平板形の本体部４３ａの両端部にコ字形のレール部４３ｂが形成されてスライド体４１の押圧板４１ｃに抜差しが可能になっている。
【００３２】
第１例によると、島Ｆにおける台枠Ｂの取付位置，取付角度を上部側で調整する際に、ネジ止めされた台枠Ｂの上板Ｂａの下面，端面を基準面として、調整機構２のスライド体２１の押圧板２１ｃが台枠Ｂの上板Ｂａに届く場合にはアタッチメント取付用孔２１ｄからアタッチメント２３を取外し、調整機構２のスライド体２１の押圧板２１ｃが台枠Ｂの上板Ｂａに届かない場合にはアタッチメント取付用孔２１ｄにアタッチメント２３を取付ける手段を選択することができる。
【００３３】
調整機構２のスライド体２１のアタッチメント取付用孔２１ｄにアタッチメント２３が取付けられると、実質的にスライド体２１の調整方向の長さであるスライド長（調整量）が延長されたことになる。従って、寸法面で多様化した台枠Ｂに対して汎用性を備えることができる。
【００３４】
なお、調整機構２のアタッチメント２３の取付けについては、抜止部２３ｃをアタッチメント取付用孔２１ｄの丸孔２１ｄａに挿通してから、ネック部２３ｂを取付用孔２１ｄの長孔２１ｄｂに係合させてスライドさせるだけでよい。取付けられたアタッチメント２３は、取付用孔２１ｄの長孔２１ｄｂがＶ字形の開放側を下方に向けている格好で丸孔２１ｄａよりも下方に位置しているため、丸孔２１ｄａ側に脱落することがない。また、調整機構２のアタッチメント２３の取外しについては、取付けの逆の操作を行うことになる。従って、操作が簡単で特別な技術者でなくとも実施することができる。なお、図５に示すように、台枠Ｂの上板Ｂａ，側板Ｂｃに段差や障害物がある場合に、台枠Ｂの上板Ｂａの左右側に位置しているアタッチメント取付用孔２１ｄの２つの長孔２１ｄｂから段差，障害物を避けることができる側を選択することができる。
【００３５】
また、押圧補助機構４のスライド体４１の押圧板４１ｃが台枠Ｂの上板Ｂａに届く場合には押圧板４１ｃから押圧補助アタッチメント４３を取外し、押圧補助機構４のスライド体４１の押圧板４１ｃが台枠Ｂの上板Ｂａに届かない場合には押圧板４１ｃに押圧補助アタッチメント４３を取付ける手段を選択することができる。
【００３６】
押圧補助機構４のスライド体４１の押圧板４１ｃに押圧補助アタッチメント４３が取付けられると、実質的にスライド体４１の台枠Ｂの上板Ｂａを支える面積が拡張されたことになる。従って、この点でも、寸法面で多様化した台枠Ｂに対して汎用性を備えることができる。なお、押圧補助機構４のスライド体４１の押圧板４１ｃが台枠Ｂの上板Ｂａに届く場合であっても、押圧補助アタッチメント４３を取付けて台枠Ｂの上板Ｂａの支えを安定化させることも可能である。
【００３７】
さらに、第１例では、前述の上部取付具Ｘと組をなして遊戯台を下部側において島Ｆに取付けるための左右勝手が同一の下部取付具Ｙが構成されている。
【００３８】
下部取付具Ｙは、図７，図８に詳細に示されるように、下部取付ベース５，調整機構６，押圧機構７からなる。
【００３９】
下部取付ベース５は、島Ｆの下枠Ｆｂに固定されて調整機構６，押圧機構７を支持するもので、調整機構支持片５１，立上片５２，押圧機構支持片５３が９０度ずつの角度を介して屈曲された連続Ｌ字形に形成されている。調整機構支持片５１は、下面が島Ｆの下枠Ｆｂに当接されてネジＳで固定され、上面が調整機構６を支持する面となるもので、ネジＳが挿通されるネジ孔５４が上面，下面を貫通して設けられ、立上片５２とのコーナ部分に調整機構６の動作方向を規制するガイドを兼用したスリット形の窓５５が開口されている。立上片５２は、調整機構支持片５１から押圧機構支持片５３を台枠Ｂの下板Ｂｂの厚さを超えて立上げる長さを有したもので、調整機構支持片５１とのコーナ部分に立上げを補強するビード５６が設けられている。押圧機構支持片５３は、立上片５２から台枠Ｂの下板Ｂｂと間隔を介して平行に延びるもので、先端部付近に押圧機構７が螺合される雌ネジ部５７が設けられている。
【００４０】
調整機構６は、島Ｆにおける台枠Ｂの取付位置，取付角度を下部側で調整するもので、台枠Ｂの下板Ｂｂに対してスライドされるスライド体６１と、スライド体６１のスライド位置を固定するロック部６２とからなる。スライド体６１は、下部取付ベース５の調整機構支持片５１の上面に当接されて窓５５に挿通されたスライド板６１ａと、スライド板６１ａにスライド方向へ延びて穿孔された長孔６１ｂと、スライド板６１ａの先端に屈曲形成されて下部取付ベース５の押圧機構支持片５３の下方に位置され台枠Ｂの下板Ｂｂの端面を押圧する押圧板６１ｃとからなる。ロック部６２は、下部取付ベース５の調整機構支持片５１に固定されて調整機構支持片５１の上面からスライド体６１の長孔６１ｂを貫通して突出されたロックネジ６２ａと、ロックネジ６２ａに螺合されスライド体６１のスライド板６１ａを下部取付ベース５の調整機構支持片５１の上面に締付ける蝶ナット形のロックナット６２ｂとからなる。
【００４１】
押圧機構７は、島Ｆの下枠Ｆｂの上面に台枠Ｂの下板Ｂｂを押圧するもので、下部取付ベース５の雌ネジ部５７に螺合されるネジ棒７１と、ネジ棒７１の上端部に設けられたハンドル７２と、ネジ棒７１の下端部に設けられた軸部７３と、軸部７３に回動可能に支持された押圧部７４とからなる。ネジ棒７１は、強い回転力を得るために大径とされている。ハンドル７２は、ネジ棒７１を回転操作しやすい星形板に形成されている。軸部７３は、下端部をカシメたりナットを螺合させる等によって押圧部７４を抜止め支持している。押圧部７４は、断面外形が台形状になるように、台枠Ｂの下板Ｂｂへの押圧面が部分的に台枠Ｂの下板Ｂｂに当接される４個の脚７４ａが軸部７３に抜止め遊嵌合された丸皿形の基盤７４ｂから外側に拡開するように軸部７３の軸線を中心として放射状に設けられている。従って、押圧部７４は、脚７４ａの間と基盤７４ｂの下方とに空間７４ｃが形成されている。また、押圧部７４の脚７４ａの台枠Ｂの下板Ｂｂへの押圧面には、稜線，谷線が径方向に配置された山谷形の凹凸溝７４ｄが設けられている。
【００４２】
第１例に下部取付具Ｙが備えられことによって、台枠Ｂの下板Ｂｂを島Ｆの下枠Ｆｂに押圧して取付ける際に、押圧機構７の押圧端末となる押圧部７４が全面で台枠Ｂの下板Ｂｂの上面を押圧するのではなく、脚７４ａ（凹凸溝７４ｄ）で部分的に台枠Ｂの下板Ｂｂの上面を押圧することになる。従って、押圧機構７の押圧部７４の空間７４ｃに台枠Ｂの下板Ｂｂに設けられている補強リブのような凹凸部Ｂｄの凸部分を回避させることで、押圧部７４の押圧力を台枠Ｂの下板Ｂｂに確実に作用させることができる。特に、押圧機構７の押圧部７４の空間７４ｃが四方に確保されることで、台枠Ｂの下板Ｂｂに設けられている凹凸部Ｂｄが格子状の場合にも対応することができる。なお、押圧機構７の押圧部７４が軸部７３で回動可能であるため、空間７４ｃを台枠Ｂの下板Ｂｂに設けられている凹凸部Ｂｄの凸部分を確実に回避できる位置に自由に変更することができる。
【００４３】
また、押圧機構７の押圧部７４が構造的に安定的な台形状の断面外形となっているため、ネジ棒７１の押圧力で押圧部７４が変形して台枠Ｂの下板Ｂｂの押圧が不充分になるようなことはない。また、押圧機構７の押圧部７４の凹凸溝７４ｄは、脚７４ａの台枠Ｂの下板Ｂｂに対する摩擦力を高める。従って、押圧機構７のネジ棒７１の回転に押圧部７４が追従して回転することがなく、移動した脚７４ａで台枠Ｂの下板Ｂｂに設けられている凹凸部Ｂｄを損傷することがない。なお、押圧機構７の押圧部７４の凹凸溝７４ｄは、稜線，谷線が径方向に配置された山谷形であるため、ネジ棒７１の回転方向に対して大きな摩擦力を発揮する。
【００４４】
図９は、本発明に係る遊戯台取付具を実施するための形態の第２例を示すものである。
【００４５】
第２例では、第１例の下部取付具Ｙの押圧機構７の押圧部７４の脚７４ａから凹凸溝７４ｄが省略されている。
【００４６】
第２例によると、台枠Ｂの下板Ｂｂに対する押圧機構７の押圧部７４の脚７４ａの摩擦力が低下することになるが、充分に第１例と同様の機能を奏することができる。逆に、台枠Ｂの下板Ｂｂが傷付きやすい材質である場合には有効となる。
【００４７】
図１０は、本発明に係る遊戯台取付具を実施するための形態の第３例を示すものである。
【００４８】
第３例では、第１例の下部取付具Ｙの押圧機構７の押圧部７４の脚７４ａが２個設けられたものを示してある。第３例においても、脚７４ａに凹凸溝７４ｄが設けられたものと凹凸溝７４ｄが省略されたものとが考えられる。
【００４９】
第３例によると、第１例，第２例に比して、押圧部７４の脚７４ａの押圧面積を拡張することができ、台枠Ｂの下板Ｂｂへの押圧力を増加させることができる。なお、台枠Ｂの下板Ｂｂに設けられている凹凸部Ｂｄが格子状の場合には不向きであるが直線状である場合には有効である。
【００５０】
図１１は、本発明に係る遊戯台取付具を実施するための形態の第４例を示すものである。
【００５１】
第４例では、第１例の下部取付具Ｙの押圧機構７の押圧部７４の脚７４ａが３個設けられた（隣接する２個を連続させた）ものを示してある。第３例においても、脚７４ａに凹凸溝７４ｄが設けられたものと凹凸溝７４ｄが省略されたものとが考えられる。
【００５２】
第４例によると、第１例，第２例に比して、押圧部７４の脚７４ａの押圧面積を拡張することができ、台枠Ｂの下板Ｂｂへの押圧力を増加させることができる。なお、台枠Ｂの下板Ｂｂに設けられている凹凸部Ｂｄが格子状の場合には不向きであるが直線状，Ｔ字状である場合には有効である。
【００５３】
図１２は、本発明に係る遊戯台取付具を実施するための形態の第５例を示すものである。
【００５４】
第５例では、第１例の下部取付具Ｙの押圧機構７の押圧部７４の脚７４ａを２個としてコ字形に連続され基盤７４ｂが省略されている。
【００５５】
第５例によると、前述の各例よりも構造が簡素化されるため、安価，容易に製造することが可能になる。
【００５６】
図１３は、本発明に係る遊戯台取付具を実施するための形態の第６例を示すものである。
【００５７】
第６例では、上部取付具Ｘの調整機構２のスライド体２１のアタッチメント取付用孔２１ｄの２つの長孔２１ｄｂを丸孔２１ｄａからコ字形に配置してある。
【００５８】
第６例によると、長孔２１ｄｂがＬ字形であるため、取付けられたアタッチメント２３が丸孔２１ｄａ側に脱落することがほぼ完全に防止される。
【００５９】
図１４は、本発明に係る遊戯台取付具を実施するための形態の第７例を示すものである。
【００６０】
第７例では、上部取付具Ｘの調整機構２のスライド体２１のアタッチメント取付用孔２１ｄを１つずつ丸孔２１ｄａ，長孔２１ｄｂが連通されたものを間隔を介して２個設けられている。
【００６１】
第７例によると、取付用孔２１ｄの長孔２１ｄｂを短縮することができ、調整機構２のスライド体２１の強度の低下を防止することができる。
【００６２】
図１５は、本発明に係る遊戯台取付具を実施するための形態の第８例を示すものである。
【００６３】
第８例では、押圧補助アタッチメント４３がスライド体４１に係止手段４４により固定されている。図に示した例では、スライド体４１には係止孔４１ａが設けられ、押圧補助アタッチメント４３には係止長孔４３ｃが設けられている。係止手段４４はビスであり、ワッシャー４４ａを挟んで、係止孔４１ａと係止長孔４３ｃによって押圧補助アタッチメント４３をスライド体４１に固定している。
【００６４】
第８例によると、押圧補助アタッチメント４３の不慮の落下を防止できる。また係止長孔４３ｃの固定される位置を調節することで、押圧補助アタッチメント４３を伸ばし、押圧補助する長さ、面積を変更することができる。
【００６５】
図１６は、本発明に係る遊戯台取付具を実施するための形態の第９例を示すものである。
【００６６】
第９例は、押圧補助アタッチメント４３がスライド体４１に係止手段４４により固定されているもので、第８例の構造を簡素化したものである。スライド体４１はＬ字形の板状であり、Ｌ字形の底面は上板Ｂａに当接する側の逆側に突出し、係止孔４１ａを備えている。押圧補助アタッチメント４３も板状である。
【００６７】
第９例によると、構造が簡素で、台枠Ｂに当接する側に部品が少ないので、作業を行いやすく部品が邪魔になることが少ない。
【００６８】
図１７は、本発明に係る遊戯台取付具を実施するための形態の第１０例を示すものである。
【００６９】
第１０例は、上板Ｂａを支える面積を拡張する押圧補助アタッチメント４３が、上板Ｂａの取付位置・取付角度を調整するための調整機構の調整方向の長さを延長するアタッチメント２３を同一部材で兼ねているものである。この例での押圧補助アタッチメント４３は、第９例と同様にスライド体４１に対して係止長孔４３ｃによって係止して用い、着脱可能なアタッチメントとなっている。押圧補助アタッチメント４３には、長手方向の側面に沿って垂直に一対の板状部材のアタッチメントの本体部２３ａが設けられており、この本体部２３ａの板状の縁部２３ｄが上板Ｂａ側に当接可能となっている。第９例と同様に、係止長孔４３ｃを介してスライド体４１に対して位置が調節可能であり、調整機構を兼ねている。なお、この例では、上部取付ベース１に調整機構支持片１１を介して取り付けられる調整機構２は、併用されていても、いなくてもよい。
【００７０】
図１８は、本発明に係る遊戯台取付具を実施するための形態の第１１例を示すものである。
【００７１】
この例では、上板Ｂａを支える面積を拡張する押圧補助アタッチメント４３が、上板Ｂａの取付位置・取付角度を調整するための調整機構の調整方向の長さを延長するアタッチメント２３と同一部材であるものである。第９例の押圧補助アタッチメント４３が、アタッチメント本体２３ａが設けられることで調整機構のアタッチメント２３を兼ねている。図に示した例では、押圧補助アタッチメント４３の上面から垂直に板状部材が伸びており、アタッチメントの本体部２３ａとなっている。本体部２３ａは上板Ｂａに当接して上板Ｂａの取付位置・取付角度を調整し、押圧補助アタッチメント４３の上面が上板Ｂａを押圧する。
【産業上の利用可能性】
【００７２】
本発明に係る遊戯台取付具は、背部に台枠を有する各種の遊戯台の取付けに使用することが可能である。
【符号の説明】
【００７３】
１            上部取付ベース
２            調整機構
２１          スライド体
２１ｄ        アタッチメント取付用孔（取付けられる箇所）
２１ｄａ      丸孔（着脱用孔）
２１ｄｂ      長孔（支持用溝）
２３          アタッチメント
４            押圧補助機構
４３          押圧補助アタッチメント
Ｂ            台枠
Ｂａ          上板
Ｂｂ          下板
Ｆ            島
Ｆａ          上枠
Ｆｂ          下枠
【図１】
2010240265.tif 000003
【図２】
2010240265.tif 000004
【図３】
2010240265.tif 000005
【図４】
2010240265.tif 000006
【図５】
2010240265.tif 000007
【図６】
2010240265.tif 000008
【図７】
2010240265.tif 000009
【図８】
2010240265.tif 000010
【図９】
2010240265.tif 000011
【図１０】
2010240265.tif 000012
【図１１】
2010240265.tif 000013
【図１２】
2010240265.tif 000014
【図１３】
2010240265.tif 000015
【図１４】
2010240265.tif 000016
【図１５】
2010240265.tif 000017
【図１６】
2010240265.tif 000018
【図１７】
2010240265.tif 000019
【図１８】
2010240265.tif 000020